(57)【要約】      （修正有）【課題】視野が狭まることを抑制できるレンズを実現する。【解決手段】レンズは、レンズ本体と、中心球状部６２と複数の凸部６４及び凹部とを有し、外形が横長形状であるフレネルレンズ部６０と、を備え、フレネルレンズ部は、中心球状部を囲むように設けられた複数の環状凸部、及び、環状凸部よりも左側及び右側に設けられ、上端及び下端を有する複数の円弧状凸部を有し、複数の円弧状凸部は、中心球状部から離れるほど、上端と下端との短手方向における距離が短くなり、上端を通る曲線により構成されるフレネルレンズ部の上方側の端、及び、下端を通る曲線により構成されるフレネルレンズ部の下方側の端が、最も左側の円弧状凸部及び最も右側の円弧状凸部を含む同心円よりも内側に位置しており、最も左側の円弧状凸部及び最も右側の円弧状凸部の上端と下端との短手方向における距離は、中心球状部の短手方向の寸法よりも長い。【選択図】図５
2020173469.tif 000002
【特許請求の範囲】
【請求項１】
レンズ本体と、
前記レンズ本体に設けられた中心球状部と、前記中心球状部を中心とした同心円の少なくとも一部を構成する複数の凸部及び凹部と、を有し、正面視における外形が横長形状であるフレネルレンズ部と、を備え、
前記フレネルレンズ部は、それぞれが前記凸部であり、前記中心球状部を囲むように設けられた複数の環状凸部、及び、前記環状凸部よりも左側及び右側に設けられ、それぞれが前記凸部であり、前記フレネルレンズ部の短手方向における一方の端部である上端及び他方の端部である下端を有する複数の円弧状凸部を有し、
複数の前記円弧状凸部は、前記同心円の半径方向において前記中心球状部から離れるほど、前記上端と前記下端との前記短手方向における距離が短くなり、
前記上端を通る曲線により構成される前記フレネルレンズ部の上方側の端、及び、前記下端を通る曲線により構成される前記フレネルレンズ部の下方側の端が、最も左側の前記円弧状凸部及び最も右側の前記円弧状凸部を含む前記同心円よりも内側に位置しており、
最も左側の前記円弧状凸部及び最も右側の前記円弧状凸部の前記上端と前記下端との前記短手方向における距離である第一距離は、前記中心球状部の前記短手方向の寸法よりも長い、
レンズ。
【請求項２】
前記第一距離は、前記フレネルレンズ部の長手方向の中央部における前記短手方向の長さの１／２より大きい、請求項１に記載のレンズ。
【請求項３】
前記第一距離は、前記フレネルレンズ部の短手方向の中央部における前記長手方向の長さの１／２より大きい、請求項２に記載のレンズ。
【請求項４】
前記フレネルレンズ部の前記短手方向の中央部における前記長手方向の長さの、前記フレネルレンズ部の前記長手方向の中央部における前記短手方向の長さに対する比は、１．１２である、請求項３に記載のレンズ。
【請求項５】
前記フレネルレンズ部は、通電されることで屈折率が変化する屈折率変化部を備えている請求項１〜４のいずれか１項に記載のレンズ。
【請求項６】
前記屈折率変化部は液晶である請求項５に記載のレンズ。
【請求項７】
ブランク本体と、
前記ブランク本体に設けられた前記フレネルレンズ部と、
を備えた請求項１〜６のいずれか１項に記載のレンズのレンズブランク。
【請求項８】
使用者に装着されるフレームと、
前記フレームに支持された請求項１〜６のいずれか１項に記載のレンズと、
を備えたアイウェア。
【請求項９】
前記レンズのフレネルレンズ部は、通電されることで屈折率が変化する屈折率変化部を含み、
前記フレームに取り付けられ、前記屈折率変化部の制御を行う制御部を更に有し、
レンズの焦点距離を変更する機能を備えた請求項８に記載のアイウェア。
【発明の詳細な説明】
【技術分野】
【０００１】
本発明は、レンズ、レンズブランク及びアイウェアに関する。
【背景技術】
【０００２】
特開２０１１−５１６９２７号公報及び米国特許出願公開第２０１３／０１１４１２８号明細書には、アイウェアのレンズ及び当該レンズを形成するレンズブランクが開示されている。特開２０１１−５１６９２７号公報に記載されたレンズでは、その一部の領域の焦点距離を変更することが可能となっており、米国特許出願公開第２０１３／０１１４１２８号明細書に記載されたレンズでは、その一部の領域の焦点距離が他の領域の焦点距離に対して異なっている。これにより、これらの文献に記載されたレンズを備えたアイウェアの使用者が、当該レンズの一部の領域を通じて当該使用者からの距離が近い物を視認する際の視認性を良好にする（拡大する）ことが可能となっている。
【発明の概要】
【発明が解決しようとする課題】
【０００３】
ところで、特開２０１１−５１６９２７号公報及び米国特許出願公開第２０１３／０１１４１２８号明細書に記載されたレンズには、使用者がレンズの一部の領域を通じて被対象物を視認する際の視野が狭まることを抑制するという点で改善の余地がある。
【０００４】
本発明は上記事実を考慮し、視野が狭まることを抑制することができるレンズ、レンズブランク及びアイウェアを得ることが目的である。
【課題を解決するための手段】
【０００５】
本発明に係るレンズの一態様は、
レンズ本体と、
レンズ本体に設けられた中心球状部と、中心球状部を中心とした同心円の少なくとも一部を構成する複数の凸部及び凹部と、を有し、正面視における外形が横長形状であるフレネルレンズ部と、を備え、
フレネルレンズ部は、それぞれが凸部であり、中心球状部を囲むように設けられた複数の環状凸部、及び、環状凸部よりも左側及び右側に設けられ、それぞれが凸部であり、フレネルレンズ部の短手方向における一方の端部である上端及び他方の端部である下端を有する複数の円弧状凸部を有し、
複数の円弧状凸部は、同心円の半径方向において中心球状部から離れるほど、上端と下端との短手方向における距離が短くなり、
上端を通る曲線により構成されるフレネルレンズ部の上方側の端、及び、下端を通る曲線により構成されるフレネルレンズ部の下方側の端が、最も左側の円弧状凸部及び最も右側の円弧状凸部を含む同心円よりも内側に位置しており、
最も左側の円弧状凸部及び最も右側の円弧状凸部の上端と下端との短手方向における距離である第一距離は、中心球状部の短手方向の寸法よりも長い。
【０００６】
本発明のレンズの第１の参考例において、レンズは、レンズ本体と、前記レンズ本体に設けられ、少なくとも複数の同心円の一部を構成する複数の凸部及び凹部が形成されたフレネルレンズ部と、を備え、前記レンズ本体に対する光の入射方向から見た前記フレネルレンズ部の外形は横長形状であり、該フレネルレンズ部の長手方向の両端に位置する第１の外周端の少なくとも一部が前記同心円に沿った円弧を形成し、該フレネルレンズ部の短手方向の両端に位置する第２の外周端は、前記第１の外周端の一部が形成する円弧が含まれる前記同心円よりも内側に位置し、前記円弧を形成する前記第１の外周端の一部と屈曲部を介して接続されている。
【０００７】
さらに第１の参考例のレンズによれば、レンズ本体に設けられたフレネルレンズ部には、複数の凸部及び複数の凹部が形成されており、この凸部及び凹部は、少なくとも複数の同心円の一部を構成する。ここで、第１の参考例のレンズでは、フレネルレンズ部が横長形状に形成されている。これにより、フレネルレンズ部の長手方向への視野が狭まることを抑制することができる。また、第１の参考例のレンズでは、フレネルレンズ部の長手方向の両端に位置する第１の外周端の少なくとも一部が同心円に沿った円弧を形成している。これに加えて、フレネルレンズ部の短手方向の両端に位置する第２の外周端は、第１の外周端の一部が形成する円弧が含まれる同心円よりも内側に位置していると共に、この円弧を形成する第１の外周端の一部と屈曲部を介して接続されている。これにより、第１の外周端の一部が形成する円弧とされた部分を光学的に連続に設定することができる。その結果、フレネルレンズ部の外周端において光学的なひずみが生じることを抑制することができ、フレネルレンズ部の長手方向への視野が狭まることを抑制することができる。
【０００８】
第２の参考例のレンズは、第１の参考例のレンズにおいて、前記第２の外周端は、直線又は曲線に沿った形状である。
【０００９】
第３の参考例のレンズは、第２の参考例のレンズにおいて、前記第２の外周端は、前記複数の凸部及び凹部により形成される円弧が属する前記複数の同心円と交差するように形成されている。
【００１０】
第２及び第３の参考例のレンズによれば、フレネルレンズ部の短手方向の両端である第２の外周端を上記のように形成することで、フレネルレンズ部の短手方向の視野を所望の視野にすることができると共に、フレネルレンズ部の長手方向への視野が狭まることを抑制することができる。
【００１１】
第４の参考例のレンズは、第１〜３ののいずれかの参考例のレンズにおいて、前記第１の外周端の一部が形成する円弧が含まれる前記同心円は、前記フレネルレンズ部に含まれる複数の同心円のうち最大の円である。
【００１２】
第４の参考例のレンズによれば、フレネルレンズ部の長手方向の両端である第１の外周端の一部が形成する円弧が含まれる同心円が、当該フレネルレンズ部に含まれる複数の同心円のうち最大の円であることにより、フレネルレンズ部の長手方向への視野が狭まることをより一層抑制することができる。
【００１３】
第５の参考例のレンズは、第１〜第４のいずれかの参考例のレンズにおいて、前記フレネルレンズ部は、通電されることで屈折率が変化する屈折率変化部を備えている。
【００１４】
第５の参考例のレンズによれば、フレネルレンズ部に設けられた屈折率変化部に通電がなされると、屈折率変化部の屈折率が変化する。そして、第５の参考例のレンズでは、フレネルレンズ部の外周端において光学的なひずみが生じることを抑制することができることにより、フレネルレンズ部及び屈折率変化部を介する視野が狭まることを抑制することができる。
【００１５】
第６の参考例のレンズは、第５の参考例のレンズにおいて、前記屈折率変化部は液晶である。
【００１６】
第６の参考例のレンズによれば、フレネルレンズ部及び液晶を介する視野が狭まることを抑制することができる。
【００１７】
第７の参考例のレンズは、第１〜第６のいずれかの参考例のいずれかのレンズにおいて、前記フレネルレンズ部の外周端において、前記同心円に沿った円弧を形成する部分が複数設けられている。
【００１８】
第７の参考例のレンズによれば、フレネルレンズ部の外周端において同心円に沿った円弧を形成する部分が複数設けられていることにより、フレネルレンズ部の外周端において視野が狭まる箇所を少なくすることができる。
【００１９】
第８の参考例のレンズは、第７の参考例のレンズにおいて、前記複数の前記同心円に沿った円弧を形成する部分は、同一の円上に位置する。
【００２０】
第８の参考例のレンズによれば、フレネルレンズ部の外周端における円弧を形成する複数の部分が、同一の円上に位置していることにより、フレネルレンズ部の中心（複数の同心円の中心）からの距離が同じ位置において光学的なひずみが生じることを抑制することができ、フレネルレンズ部の長手方向への視野が狭まることを抑制することができる。
【００２１】
第９の参考例のレンズは、第８の参考例のレンズにおいて、前記複数の前記同心円に沿った円弧を形成する部分は、前記複数の同心円の中心を基準として、互いに対向するように配置されている。
【００２２】
第９の参考例のレンズによれば、フレネルレンズ部の外周端における円弧を形成する複数の部分が、同一の円上に位置していることに加えて、複数の同心円の中心を基準として、互いに対向するように配置されている。これにより、フレネルレンズ部の中心からの距離が同じ位置で、かつ、フレネルレンズ部の中心を挟む対向位置において光学的なひずみが生じることを抑制することができる。
【００２３】
第１０の参考例のレンズは、第１の参考例のレンズにおいて、前記フレネルレンズ部の外形は、略樽型の形状である。
【００２４】
第１０の参考例のレンズによれば、フレネルレンズ部の外形が略樽型の形状に形成されていることにより、フレネルレンズ部における短手の視野が狭まることを抑制することができる。
【００２５】
第１１の参考例のレンズは、第１の参考例のレンズにおいて、前記フレネルレンズ部の短手方向の寸法が、該フレネルレンズ部の長手方向の中央部に向かうにつれて次第に大きくなっている。
【００２６】
第１１の参考例のレンズによれば、フレネルレンズ部の短手方向の寸法が、当該フレネルレンズ部の長手方向の中央部に向かうにつれて次第に大きくなるように設定することにより、フレネルレンズ部における短手の視野が狭まることを抑制することができる。
【００２７】
第１２の参考例のレンズは、第１の参考例のレンズにおいて、前記長手方向が前記レンズの使用状態における水平方向であり、前記短手方向が前記レンズの使用状態における垂直方向である。
【００２８】
第１２の参考例のレンズによれば、長手方向をレンズの使用状態における水平方向に設定し、短手方向をレンズの使用状態における垂直方向に設定することにより、フレネルレンズ部の視野が狭まることを抑制することができる。
【００２９】
本発明のレンズブランクは、第１〜第１２のいずれかの参考例のレンズのレンズブランクであり、ブランク本体と、前記ブランク本体に設けられた前記フレネルレンズ部と、を備えている。
【００３０】
本発明のレンズブランクによれば、当該レンズブランクを用いて形成されたレンズのフレネルレンズ部の視野が狭まることを抑制することができる。
【００３１】
本発明のアイウェアの第１の参考例は、使用者に装着されるフレームと、前記フレームに支持された第１〜第１２のいずれかの参考例のレンズと、を備えている。
【００３２】
第１の参考例のアイウェアによれば、当該アイウェアを使用する使用者がフレームに支持されたレンズのフレネルレンズ部を通じて対象物を視認する際の視野が狭まることを抑制することができる。
【００３３】
アイウェアの第２の参考例においては、第１の参考例のアイウェアにおいて、前記レンズのフレネルレンズ部は、通電されることで屈折率が変化する屈折率変化部を含み、前記フレームに取り付けられ、前記屈折率変化部の制御を行う制御部を更に有し、レンズの焦点距離を変更する機能を備えている。
【００３４】
第２の参考例のアイウェアによれば、制御部の制御により、屈折率変化部の屈折率を変化させることができる。これにより、レンズにおけるフレネルレンズ部の度数を変化させることができる。
【発明の効果】
【００３５】
本発明に係るレンズ、レンズブランク及びアイウェアは、視野が狭まることを抑制することができる、という優れた効果を有する。
【図面の簡単な説明】
【００３６】
【図１】本実施形態の電子メガネを分解して示す分解斜視図である。
【図２】本実施形態の電子メガネを示す正面図である。
【図３】レンズブランクから切り出されたレンズを示す正面図である。
【図４】図３に示された４−４線に沿って切断したレンズの断面を拡大して示す拡大断面図である。
【図５】図３に示されたレンズのフレネルレンズ部を模式的に示す正面図である。
【図６】被通電状態の液晶等を示す断面図である。
【図７】通電状態の液晶等を示す図５に対応する断面図である。
【図８】第１変形例に係るフレネルレンズ部を模式的に示す図７に対応する正面図である。
【図９】第２変形例に係るフレネルレンズ部を模式的に示す図７に対応する正面図である。
【図１０】第３変形例に係るフレネルレンズ部を模式的に示す図７に対応する正面図である。
【発明を実施するための形態】
【００３７】
図１〜図５を用いて本発明の実施形態に係るアイウェアとしての電子メガネについて説明する。なお、各図において適宜示される矢印ＦＲは電子メガネを装着した使用者から見た前側を示しており、矢印ＵＰは上側を示しており、矢印ＲＨ及びＬＨは右側及び左側を示している。また、以下の説明で特記なく前後、上下、及び左右の方向を用いる場合は、電子メガネの使用者から見た前後、上下、及び左右を示すものとする。
また、レンズの上下方向とは使用状態における垂直方向または天地方向であり、左右方向とは水平方向と言い換えることもできる。
【００３８】
図１及び図２に示されるように、本実施形態の電子メガネ１０は、使用者のスイッチ操作により左右のレンズ１２、１４の一部の焦点距離（度数）を変更することが可能とされている。具体的には、電子メガネ１０は、使用者に装着されるフレーム１６と、フレーム１６に支持された左右一対のレンズ１２、１４と、レンズ１２、１４に設けられた液晶１８（図４参照）を駆動させる制御部としての液晶駆動部２０と、を備えている。
【００３９】
フレーム１６は、右側のレンズ１４及び左側のレンズ１２がそれぞれ支持されると共に正面視で（電子メガネ１０の使用者の前方側から見て）環状に形成された右側リム２２及び左側リム２４と、右側リム２２と左側リム２４とを左右方向につなぐブリッジ２６と、を備えている。また、右側リム２２及び左側リム２４においてブリッジ２６と隣接する部分には、使用者の鼻に係止されるパッド部２８が形成されている。また、フレーム１６は、右側リム２２の右側の端部に傾動可能に取付けられた右側テンプル３０と、左側リム２４の左側の端部に傾動可能に取付けられた左側テンプル３２と、を備えている。図１に示されるように、右側テンプル３０は、使用者側が開放された溝部３６を有する右側テンプル本体３４と、右側テンプル本体３４に取付けられることで当該右側テンプル本体３４に形成された溝部３６を閉止する蓋部３８と、を含んで構成されている。
【００４０】
液晶駆動部２０は、後述するレンズ１２に設けられた液晶１８の配列を変更するためのものであり、この液晶駆動部２０は、制御モジュール４０と、当該制御モジュール４０に接続された可撓ケーブル４２、バッテリー４４及びスイッチ４６と、を備えている。制御モジュール４０は、右側テンプル本体３４の溝部３６内に配置されており、また制御モジュール４０は、右側テンプル本体３４に蓋部３８が取付けられることで、使用者側へ露出しないようになっている。また、スイッチ４６は、右側テンプル本体３４における使用者とは反対側（溝部３６が形成された側とは反対側）に固定されている。なお、本実施形態のスイッチ４６は、使用者が触れることでスイッチ操作することが可能とされた静電容量タッチスイッチである。また、バッテリー４４は、右側テンプル３０の後端部に着脱可能に取付けられるようになっている。可撓ケーブル４２は、右側テンプル３０内に配置された制御モジュール４０から右側リム２２の上方側の部位、ブリッジ２６及び左側リム２４の上方側の部位にかけて配索されている。そして、左右のレンズ１２、１４が右側リム２２及び左側リム２４にそれぞれ固定される（はめ込まれる）ことで、レンズ１２に設けられた液晶１８と可撓ケーブル４２とが電極４８、５０（図３参照）を通じて接続されている。
【００４１】
次に、本実施形態の要部であるレンズ１２、１４について説明する。なお、右側のレンズ１４と左側のレンズ１２とは左右対称に形成されているため、以下の説明においては左側のレンズ１２について説明し、右側のレンズ１４については左側のレンズ１２の各部と同一の符号を付してその説明を省略する。
【００４２】
図３に示されるように、レンズ１２は、正面視で外縁が円形状とされたレンズブランク５２が所定の形状に加工されることにより形成されている。
【００４３】
図３及び図４に示されるように、レンズブランク５２は、その厚み方向に重ね合わされて接合された前面レンズ５４及び回折部付レンズ５６を有するブランク本体５８を備えている。このブランク本体５８の一部を構成する前面レンズ５４及び回折部付レンズ５６は、前方側へ凸状となるように緩やかに湾曲されている。また、前面レンズ５４と回折部付レンズ５６において後述する回折部６０が設けられた部分を除く部分とは、図示しない接着層を介して接合されている。なお、この接着層内には、前述の電極４８、５０が配置されている。
【００４４】
回折部付レンズ５６の一部には、フレネルレンズ部としての回折部６０が設けられており、この回折部６０は、前面レンズ５４側（前面側）が鋸刃状の断面とされた所謂フレネルレンズの構成とされている。詳述すると、回折部６０の前面には、当該回折部６０の中心部に配置された半球面状の中心球状部６２と、中心球状部６２の回りに形成された複数の凸部６４及び複数の凹部６６と、が形成されている。また、複数の凸部６４と複数の凹部６６とは、中心球状部６２と離間する方向に沿って交互に配置されている。さらに、複数の凸部６４の突出方向の先端６４Ａを結ぶ線Ｌ１は、正面視で（レンズブランク５２の厚み方向及びレンズ１２に対する光の入射方向から見て）中心球状部６２を中心とする円弧状に形成されており、複数の凹部６６の窪み方向の底６６Ａを結ぶ線Ｌ２は、正面視で中心球状部６２を中心とする円弧状に形成されている。そして、凸部６４の突出方向の先端６４Ａを結ぶ線Ｌ１及び凹部６６の窪み方向の底６６Ａを結ぶ線Ｌ２の半径は、中心球状部６２と離間するにつれて次第に大きくなっている。言い換えると、Ｌ１及びＬ２は、中心球状部６２の中心点を中心とした同心円の円弧の一部を形成している。また凹部６６は溝形状ということもできる。
なお、以下の記述においては、「円」とは正円または真円を指す。また、「同心円」とは、中心が同じ位置にある二つ以上の円の内の少なくとも１つの円を指す。
【００４５】
図４に示されるように、以上説明した回折部付レンズ５６の回折部６０と前面レンズ５４との間には、通電されることで屈折率が変化する屈折率変化部としての液晶１８が介装されている。
【００４６】
図３に示されるように、レンズ１２は、レンズブランク５２が左側リム２４（図１参照）と対応する形状に加工されることにより形成されている。なお、レンズ１２のレンズ本体６８は、レンズブランク５２のブランク本体５８と対応している。
【００４７】
ここで、図５には、レンズ１２に設けられた回折部６０が模式的に示された正面図が示されている。なお、回折部６０の外周端７０が黒の太線で描かれており、凸部６４の突出方向の先端６４Ａを結ぶ線Ｌ１が二点鎖線で示されている。また、本実施形態では、回折部６０の左右方向への寸法Ｗ１が、上下方向への寸法Ｗ２よりも長い寸法に設定された横長形状である長方形状に形成されている。また、回折部６０の外周端７０における第２の外周端としての上方側の端７０Ａ及び下方側の端７０Ｂは、それぞれ左右方向に沿って互いに平行に伸びており、この上方側の端７０Ａ及び下方側の端７０Ｂは、複数の凸部６４の突出方向の先端６４Ａを結ぶ線Ｌ１及び複数の凹部６６の窪み方向の底６６Ａを結ぶ線Ｌ２（図４参照）と交差している。また、回折部６０の外周端７０における第１の外周端としての右側の端７０Ｃ及び左側の端７０Ｄは、中心球状部６２から最も離れた凸部６４に沿って形成されている。また、外周端７０の上方側の端７０Ａ及び下方側の端７０Ｂは、右側の端７０Ｃ及び左側の端７０Ｄにより形成される円弧を含む仮想的な同心円よりも内側に位置している。なお、回折部６０の外周端７０における右側の端７０Ｃ及び左側の端７０Ｄを中心球状部６２から最も離れた凹部６６に沿って形成してもよい。
【００４８】
以上説明した回折部６０では、当該回折部６０の外周端７０における水平方向（左右方向）の右側の端７０Ｃ及び左側の端７０Ｄと、垂直方向（上下方向）の上方側の端７０Ａ及び下方側の端７０Ｂとが、屈曲部８０を介して接続されている。ここで、外周端７０はそれぞれ面により形成されており、屈曲部８０においては外周端７０の面同士が接続されている。
【００４９】
（本実施形態の作用並びに効果）
次に、本実施形態の作用並びに効果について説明する。
【００５０】
図１及び図２に示された電子メガネ１０を装着した状態においてスイッチ４６の操作がなされていない状態では、図６に示されるように、液晶１８には、電圧は印加されていない。ここで、電圧が印加されていない状態の液晶１８の屈折率は、前面レンズ５４及び回折部付レンズ５６と略同一である。従って、左右のレンズ１２、１４において回折部６０が設けられた部分の度数は、当該回折部６０の回りの部分の度数と略同一である。
【００５１】
また、電子メガネ１０の使用者によってスイッチ４６の操作がなされることにより、液晶１８に電圧が印加されると、図７に示されるように、液晶１８の配列が変更され変化して、当該液晶１８の屈折率が変化する。これにより、左右のレンズ１２、１４において回折部６０が設けられた部分の度数が、当該回折部６０の回りの部分の度数に比べて高くなる（回折部６０が設けられた部分の焦点距離が、当該回折部６０の回りの部分の焦点距離に比べて短くなる）。
【００５２】
ここで、図５に示されるように、本実施形態では、回折部６０の左右方向への寸法Ｗ１が、上下方向への寸法Ｗ２よりも長い寸法に設定されている。これにより、レンズ１２、１４における回折部６０の左右方向への視野が狭まることを抑制することができる。これに加えて、本実施形態では、回折部６０の外周端７０における右側の端７０Ｃ及び左側の端７０Ｄが、中心球状部６２の中心から最も離れた凸部６４に沿って形成されている。つまり、右側の端７０Ｃ及び左側の端７０Ｄは、回折部６０に含まれる、凸部６４が形成する同心円の円弧（ここでいう円弧とは、円全体の円弧だけでなく、円の一部を構成する円弧を含む）のうち、最大の円の円弧を形成している。右側の端７０Ｃ及び左側の端７０Ｄは中心球状部６２の中心を中心とした円のうち同一の円の円弧の一部をそれぞれ形成しているとも言い換えることもできる。これにより、回折部の外周端７０における右側の端７０Ｃ及び左側の端７０Ｄをその上下方向に沿って光学的に連続に設定することができる。その結果、回折部６０の左右方向への視野が狭まることをより一層抑制することができる。
【００５３】
なお、本実施形態では、回折部６０の外周端７０における上方側の端７０Ａ及び下方側の端７０Ｂをそれぞれ左右方向に沿って互いに平行に伸ばした直線で形成しているが、本発明はこれに限定されない。例えば、図５にて直線で形成された上方側の端７０Ａ及び下方側の端７０Ｂを、それぞれ曲線で形成するようにしてもよい。図８にこの例を示す。図８においては、回折部６０の外周端７０における上方側の端７０Ａは上方側へ向けて凸状に湾曲した曲線で形成されており、回折部６０の外周端７０における下方側の端７０Ｂは下方側へ向けて凸状に湾曲した曲線で形成されている。このとき、凸状に湾曲した曲線である端７０Ａ及び端７０Ｂは、右側の端７０Ｃ及び左側の端７０Ｄにより形成される円弧を含む仮想的な同心円よりも内側に位置するように形成される。なお、回折部６０の上下方向への寸法Ｗ２が左右方向の中央部に向かうにつれて大きくなるようにしてもよい。当該構成によれば、図５に記載された回折部６０に比べて、回折部６０の上下方向への視野が狭まることを抑制することができる。
【００５４】
また、図９に示された回折部６０のように、回折部６０の外周端７０における右側の端７０Ｃの上下方向の両側部分７０Ｃ１及び左側の端７０Ｄの上下方向の両側部分７０Ｄ１を中心球状部６２の中心から最も離れた凸部６４に沿って円弧状に形成してもよい。このとき、右側の端の一部である７０Ｃ１及び左側の端の一部である７０Ｄ１は、回折部６０に含まれる、凸部６４が形成する同心円の円弧（ここでいう円弧とは、円全体の円弧だけでなく、円の一部を構成する円弧を含む）うち、最大の円の円弧を形成している。このように、回折部６０の視野が狭くなることを抑制したい部分のみを上記のように円弧状に形成してもよい。
【００５５】
なお、図９では、端７０Ａ、端７０Ｂ、端７０Ｃ及び端７０Ｄを直線で形成しているが、これらを外側又は内側に向かって湾曲した曲線により形成してもよい。図１０は、図９同様に、右側の端の一部である７０Ｃ１及び左側の端の一部である７０Ｄ１は、中心球状部６２の中心から最も離れた凸部６４に沿って円弧状に形成されており、端７０Ｃ及び端７０Ｄは直線で形成されている。一方で、端７０Ａ及び端７０Ｂは、外側に湾曲した曲線により形成されている。このとき、端７０Ａ、端７０Ｂ、端７０Ｃ及び端７０Ｄは、７０Ｃ１及び７０Ｄ１により形成される円弧を含む仮想的な同心円よりも内側に位置するように形成される。さらに、図１０に示されるように、図８に示された回折部６０と図９に示された回折部６０の構成を組み合わせることにより、回折部６０の視野が所望の視野となるようにしてもよい。
【００５６】
図５、図８〜図１０には、種々の形状の回折部６０を示した通り、回折部６０の外周端７０のうち、少なくとも水平方向（左右方向）の右側の端及び左側の端の全部または一部が、回折部６０に含まれる複数の同心円の円弧のうち、最大の同心円の円弧の一部を形成するとともに、回折部６０の垂直方向の外周端７０における上方側の端７０Ａ及び下方側の端７０Ｂは、上記最大の同心円の円弧よりも内側において直線状または曲線状に形成されている。これにより、回折部６０の形状は、図５、図８〜図１０に示す通り、横長の形状となっている。図５及び図９は長方形に近い略長方形の形状をしており、図８及び図１０は樽型の形状をしている。横長の形状とは、少なくとも、これら略長方形及び樽型の形状を含む形状である。これにより、回折部６０において水平方向（左右方向）の視界を確保することができる。また、水平方向（左右方向）の右側の端７０Ｃ及び左側の端７０Ｄの全部または一部が、回折部６０に含まれる同心円の円弧の一部により形成されることで、回折部６０における液晶１８の充填が容易となる。更には、垂直方向の上方側及び下方側の外周が、水平方向の外周の全部または一部が形成する同心円の円弧よりも内側において直線状または曲線状に形成されていることにより、回折部の垂直方向の大きさを小さくすることで、横長のメガネフレームにおいても回折部以外のレンズの視野を確保することが可能となる。
【００５７】
なお、水平方向（左右方向）の右側の端７０Ｃ及び左側の端７０Ｄのうち最大の同心円の円弧の一部を形成する外周端について、最大の同心円の円弧の一部は凸部６４が形成する同心円の一部である例を示したが、最大の同心円の円弧の一部は凹部６６により形成される同心円の円弧の一部であってもよいし、凸部６４及びこれと隣り合う凹部６６の間に位置する同心円の円弧の一部であってもよい。
【００５８】
さらに、本実施形態では、電圧が印加される（通電される）ことで屈折率が変化する液晶１８を設けた例について説明したが、本発明はこれに限定されない。例えば、液晶１８が設けられていないアイウェアとしてのメガネ及び当該メガネのレンズ及びレンズブランクに本発明を適用することもできる。
【００５９】
以上、本発明の一実施形態について説明したが、本発明は、上記に限定されるものでなく、その主旨を逸脱しない範囲内において上記以外にも種々変形して実施することが可能であることは勿論である。
【００６０】
本出願は、２０１６年９月２９日出願の特願２０１６−１９１８７０に基づく優先権を主張する。当該出願明細書に記載された内容は、全て本願明細書に援用される。
【符号の説明】
【００６１】
１０  電子メガネ（アイウェア）
１２  レンズ
１４  レンズ
１６  フレーム
１８  液晶（屈折率変化部）
２０  液晶駆動部
５２  レンズブランク
５８  ブランク本体
６０  回折部（フレネルレンズ部）
６４  凸部
６４Ａ  凸部の突出方向の先端
Ｌ１  凸部の突出方向の先端を結ぶ線
６６  凹部
６６Ａ  凹部の窪み方向の底
Ｌ２  凹部の窪み方向の底を結ぶ線
６８  レンズ本体
７０Ａ  外周端の上方側の端（第２の外周端）
７０Ｂ  外周端の下方側の端（第２の外周端）
７０Ｃ  外周端の右側の端（第１の外周端）
７０Ｄ  外周端の左側の端（第１の外周端）
８０  屈曲部
【図１】
2020173469.tif 000003
【図２】
2020173469.tif 000004
【図３】
2020173469.tif 000005
【図４】
2020173469.tif 000006
【図５】
2020173469.tif 000007
【図６】
2020173469.tif 000008
【図７】
2020173469.tif 000009
【図８】
2020173469.tif 000010
【図９】
2020173469.tif 000011
【図１０】
2020173469.tif 000012